(57)【要約】      （修正有）【課題】練習者に登攀ルートのクライミングホールドを識別しやすく、指導者から練習者に指示が分かりやすく、またトレーニングと同時に、英語、数学、文化、熟語、ことわざなどの文で登攀ルートを構成することによりそれぞれの学習ができ、不用意な回転を軽減するクライミングホールドを提供する。【解決手段】フリークライミング用人口壁に装着できる練習者の手掛かり又は足掛かりとなるクライミング練習具であって、樹脂系プラスチックで成型された本体と固定ネジを通す開口を備え、表面に滑り止めの為の凹凸を設けた文字の形状のクライミングホールドを組み合わせることにより、人口壁に文により登攀ルートを構成する方法が特徴のフリークライミング用練習具。【選択図】図１
2008173429.tif 000002
【特許請求の範囲】
【請求項１】
フリークライミング用人口壁に装着できる練習者の手掛かり又は足掛かりとなるクライミング練習具であって、樹脂系プラスチックで成型された本体と固定ネジを通す開口を備え、表面に滑り止めの為の凹凸を設けた文字の形状のクライミングホールドを組み合わせることにより、人口壁に文により登攀ルートを構成する方法が特徴のフリークライミング用練習具。
【請求項２】
請求項１に記載のフリークライミング用のクライミング練習具であって、アルファベットの形状のクライミングホールドを組み合わせ、英単語や英文で登攀ルートを人口壁に構成することにより、フリークライミングの練習と同時に英語の学習が出来ることが特徴とするクライミング練習具。
【請求項３】
請求項１に記載のフリークライミング用のクライミング練習具であって、数字や数式記号の形状のクライミングホールドを組み合わせ、数字や数式で登攀ルートを人口壁に構成することにより、フリークライミングの練習と同時に数学の学習ができることが特徴とするクライミング練習具。
【請求項４】
請求項１に記載のフリークライミング用のクライミング練習具であって、漢字やひらがな、数字の形状のクライミングホールドを組み合わせ、文化を示した文や年号で登攀ルートを人口壁に構成することにより、フリークライミングの練習と同時に文化の学習ができることが特徴のクライミング練習具。
【請求項５】
請求項１に記載のフリークライミング用のクライミング練習具であって、漢字やひらがなの形状のクライミングホールドを組み合わせ、熟語やことわざで登攀ルートを人口壁に構成することにより、フリークライミングの練習と同時に熟語やことわざの学習ができることが特徴のクライミング練習具。
【請求項６】
請求項１に記載のクライミング練習具であって、クライミングホールドの裏側人口壁接地部を文字の外周付近に設け、外周付近内側から固定ネジ開口部付近にかけて人口壁との間に隙間をあけることによりホールドの弾性効果を利用しバネ効果によりクライミングホールドの不意な回転を軽減したことを特徴とするクライミング練習具。
【請求項７】
請求項１に記載のクライミング練習具であって、離れた文字や複雑な形状の文字を構成する為に、文字全体の土台となるベースを設けベース上に離れた文字や濁点を配置したことが特徴のクライミング練習具。
【請求項８】
請求項１に記載のクライミング練習具であって、樹脂系プラスチックに含水珪酸マグネシウムと砂を混合したことを特徴とするクライミング練習具。
【発明の詳細な説明】
【技術分野】
【０００１】  本発明は、フリークライミングの練習を行なうために、人口壁に着脱可能に装着されるクライミング練習具に関する。
【背景技術】
【０００２】  従来この種のクライミングホールドは、岩壁の凹凸に似せたクライミングホールドを人口壁に装着し、クライミング技術を習得する場として、これらの施設で広く利用されている。【０００３】  クライミングホールドには、多種多様な種類が存在し、初心者用の手足の掛かりの大きいものから上級者用の掛かり少ないものや、練習者の趣向を増すような形状や色など考慮されている。【０００４】  人口壁には難易度別に多種多様なクライミングホールドでルートが設定され、練習者は自分の技術に合ったルートを選択しトレーニングされている。
【発明の開示】
【発明が解決しようとする課題】
【０００５】  従来のクライミングホールドは岩壁の凹凸に似せて構成され、複数のクライミングホールドを人口壁に装着し利用されている。多くの場合、初心者用の手掛かり足掛かりの多いルートから、上級者用の手掛かり足掛かりの少ないルートを同じ一枚の人口壁に装着され利用されている。一枚の人口壁には複数のルートがあり、複数のクライミングホールドが密集している。ルートを識別する方法は、クライミングホールド周囲にルート別の記号や色などで表記され、練習者は難易度別のルートを複数のクライミングホールドの中から、同じ記号や色を識別し練習している。【０００６】  さらに、多くの場合人口壁にクライミングホールドを装着する際、一本のネジで装着されることが多く、ホールドが回転しやすい問題点がある。この為、ネジの締め付けトルクを大きく装着される。また人口壁に埋設されるアンカーもしくは、インサートは、人口壁に対して直角に埋設するには特殊な技術が必要で、直角に埋設されてない場合も多くホールドが傾いて装着されることがある。この為、前記以上にホールドが回転しやすく、ネジの締め付けトルクを大きく装着される。その為破損しやすい。【０００７】  また、従来のクライミングホールドは、劣化により表面のプラスチック樹脂が使用とともに表面のざらざら感が滑らかになり滑りやすくなる。【０００８】  これらのことから、練習者に登攀ルートのクライミングホールドを識別しやすく、指導者から練習者に指示が分かりやすく、またトレーニングと同時に、英語、数学、文化、熟語、ことわざなどの文で登攀ルートを構成することによりそれぞれの学習ができ、不用意な回転を軽減するクライミングホールドを提供することを課題とする。
【課題を解決するための手段】
【０００９】  この課題を解決するため、本発明が講じた手段は、請求項１のフリークライミング用人口壁に装着できる練習者の手掛かり又は足掛かりとなるクライミング練習具であって、樹脂系プラスチックで成型された本体と固定ネジを通す開口を備え、表面に滑り止めの為の凹凸を設けた文字の形状のクライミングホールドを組み合わせることにより、人口壁に文により登攀ルートを構成する方法が特徴のフリークライミング用練習具。【００１０】  請求項１に記載のフリークライミング用のクライミング練習具であって、アルファベットの形状のクライミングホールドを組み合わせ、英単語や英文で登攀ルートを人口壁に構成することにより、フリークライミングの練習と同時に英語の学習が出来ることが特徴とするクライミング練習具。【００１１】  請求項１に記載のフリークライミング用のクライミング練習具であって、数字や数式記号の形状のクライミングホールドを組み合わせ、数字や数式で登攀ルートを人口壁に構成することにより、フリークライミングの練習と同時に数学の学習ができることが特徴とするクライミング練習具。【００１２】  請求項１に記載のフリークライミング用のクライミング練習具であって、漢字やひらがな、数字の形状のクライミングホールドを組み合わせ、文化を示した文や年号で登攀ルートを人口壁に構成することにより、フリークライミングの練習と同時に文化の学習ができることが特徴のクライミング練習具。【００１３】  請求項１に記載のフリークライミング用のクライミング練習具であって、漢字やひらがなの形状のクライミングホールドを組み合わせ、熟語やことわざで登攀ルートを人口壁に構成することにより、フリークライミングの練習と同時に熟語やことわざの学習ができることが特徴のクライミング練習具。【００１４】  請求項１に記載のクライミング練習具であって、クライミングホールドの裏側人口壁接地部を文字の外周付近に設け、外周付近内側から固定ネジ開口部付近にかけて人口壁との間に隙間をあけることによりホールドの弾性効果を利用しバネ効果によりクライミングホールドの不意な回転を軽減したことを特徴とするクライミング練習具。【００１５】  請求項１に記載のクライミング練習具であって、離れた文字や複雑な形状の文字を構成する為に、文字全体の土台となるベースを設けベース上に離れた文字や濁点を配置したことが特徴のクライミング練習具。【００１６】  請求項１に記載のクライミング練習具であって、樹脂系プラスチックに含水珪酸マグネシウムと砂を混合したことを特徴とするクライミング練習具。
【発明の効果】
【００１７】  本発明の構造において、まず文字の形のクライミングホールドをルート別に文で構成し手足を掛ける順に、ネジで指定トルクによりクライミング人口壁に取り付ける。クライミングホールドの外周部から人口壁に接地しクライミング本体の弾性によりクライミング外周部がバネ効果によりクライミング人工壁と密着し固定される。また、アンカーもしくはインサートが直角に埋設されていない場合もクライミング本体の弾性によるバネ効果により、クライミングホールドの不意な回転を軽減出来る。練習者は、英単語や短文や数字など文字の順番に手足を掛け登ることができる。英語、数学、文化、熟語、ことわざなどの学習にも繋がる。また指導者は、練習者に対し左右手足を次にどのクライミングホールドに掛けるか、文の文字を読むことにより指示でき、練習者は、即座に対応できる。【００１８】  また、樹脂系プラスチックに砂を混ぜることにより、表面の自然壁に似た感触を持続することができ、ホールドの強度を上げることができる。
【発明を実施するための最良の形態】
【００１９】  この発明の実施の形態について図に基ずいて説明する。図１は、本発明の概略構成を示す為、文で構成されたクライミングホールドを登攀ルート別に装着した図である。練習者１も記載されている。人口壁２に例えばアルファベットとカタカナとひらがなの文字の形状のクライミングホールド、英単語Ｔｈａｎｋｙｏｕ３、英単語読みサンキュー、４英単語意味ありがとう５と手足を掛ける単語に配置したルートと数字と漢字とひらがなの文字型クライミングホールドで１１９２作ろう鎌倉幕府６と手足を掛ける順番に配置された二種類ルートがある。文字型クライミングホールドが一枚の人口壁に密集した場合でも練習者は、言葉順にルートを辿り練習することができるように、英文や英単語の読みや意味、数字、数式、文化、熟語、ことわざなどの文で構成すると最適である。【００２０】  図２は、文による登攀ルートを構成するための文字の形状をしたクライミングホールドのアルファベットのＡの正面図である。ホールド本体７は、樹脂系プラスチックでできており、文字の大きさにより含水珪酸マグネシウムと砂の配分を変え配合し、トナーで着色すると最適である。含水珪酸マグネシウムを配合することにより成形時の寸法が安定し、砂を混合することにより強度を上げることができる。また、固定ネジを通すための開口８を備え、開口部に金属製のワッシャーを埋設することにより固定ネジの締め付けによる破損を軽減できる。【００２１】  また、文字の形を構成するには、石膏や粘土で造形することにより、手掛かり足掛かりの良い形が形成できる。また文字の中にある穴９に、ロッククライミングでホールと言われる主に指掛かりとなる機能をもたせることができる。石膏や粘土で文字型に造形した物に、固定ネジを通す為の開口部を設け、複雑な成形に適したシリコン樹脂で成形型を作成すると最適である。【００２２】  また、表面に手掛かり足掛かりの為の凹凸を構成する為、シリコン樹脂で成形された成形型のクライミングホールド表面に構成される部位に、同質のシリコン樹脂を薄く塗り、水溶性の粉をまぶし、乾燥後、水で洗浄すると水溶性の粉は溶け成形型表面に自然石に似たざらざら感の凹凸面を成形できる成形型を作成することができる。【００２３】  図３は、クライミングホールドの補強手段を示す図である。ホールド内にループ状に埋設されたワイヤ１０の形態を示している。複数のワイヤを埋設することにより複雑な形状のクライミングホールドの強度を補強することができる。【００２４】  図４は、文による登攀ルートを構成するための文字の形状をしたクライミングホールドの漢字の誠の正面図、図６はクライミングホールド側面図である。複雑な文字を構成するには、ホールドのベース１１となる上に離れた文字１２を配置し構成すると最適である。ベースは金属製であってもよいが、ホールド本体と同質の樹脂系プラスチックで成型すると最適である。【００２５】  図５は、複雑な離れた文字や複雑なクライミングホールドの補強手段を示す図である。ホールドのベースに格子状の補強材１３を埋設するとよい。格子状の補強材は金属やプラスチックで構成すると最適である。このように、複雑な離れた文字や破損しやすい文字は文字別にベースを設け構成���ると最適である。【００２６】  図７は、クライニングホールドの弾性を利用した安全手段を示すクライミングホールドの裏側の図である。外周部１４がネジを通す為の開口部付近１５より高く構成することにより固定ネジによる締め付けトルクは、外周部接地部にかかる。またクライミングホールドの弾性効果により、バネ効果で人口壁接地部に押さえる力が発生し、不意な回転を軽減できる。ネジを通す為の開口部は、クライミングホールド中心部に近い部分に構成されているのが最適だが、文字の種類により中心部に近い部分に構成出来に構成できない文字の形状をしたクライミングホールドも、弾性効果を利用したバネ効果により、不意な回転を軽減できる。
【産業上の利用可能性】
【００２７】  本発明の文字型クライミングホールドは、工業的に量産することが可能であるため、産業上の利用可能性を有する。
【図面の簡単な説明】
【００２８】
【図１】本発明の概略構成を示す為人口壁に文字の形状をしたクライミングホールドを装着した斜視図。
【図２】クライミングホールドの正面図。
【図３】クライミングホールドのワイヤ形態を示す図。
【図４】ホールドベースの上に離れた文字を配置したクライミングホールドの正面図。
【図５】ホールドベースの上に離れた文字を配置したクライミングホールドの側面図。
【図６】クライミングホールドのホールドベースの格子状の補強手段を示す図。
【図７】クライミングホールドの裏側の安全手段を示す図。
【符号の説明】
【００２９】  １      練習者。
２      人口壁。
３      Ｔｈａｎｋｙｏｕのそれぞれの文字の形状のクライミングホールド。
４      サンキューのそれぞれの文字の形状のクライミングホールド。
５      ありがとうのそれぞれの文字の形状のクライミングホールド。
６      １１９２作ろう鎌倉幕府のそれぞれの文字の形状のクライミングホールド。
７      離れた文字。
８      固定ネジを通す為の開口部。
９      文字の中にある穴。
１０      ワイヤ。
１１      ホールドベース。
１２      離れた文字。
１３      格子状の補強材。
１４      クライミングホールド裏側外周人口壁接地部。
１５      クライミングホールド裏側固定ネジを通す為の開口部付近。
【図１】
2008173429.tif 000003
【図２】
2008173429.tif 000004
【図３】
2008173429.tif 000005
【図４】
2008173429.tif 000006
【図５】
2008173429.tif 000007
【図６】
2008173429.tif 000008
【図７】
2008173429.tif 000009